(57)【要約】【課題】点火ボタンを指で押し下げることが困難な身体弱者であっても、容易にライターを点火させることが可能なライター点火補助具を提供する。【解決手段】幅狭手前面91と幅狭背面92と幅広左右側面93，93と底面94とを有する縦長状のライター本体９に取着可能なライター点火補助具であって、ライター本体９の幅狭背面92と幅広左右側面93，93の一部と底面94に包囲するように外嵌される縦長状ケース部材１と、ライター本体９の幅狭背面92寄りのケース部材１の上部１ａに於て揺動自在に枢支された揺動レバー２とを、備え、揺動レバー２には、ライター本体９の上部９ａの幅狭手前面91寄りに設けられた点火ボタン99を押圧する接触部29を設け、ケース部材１を片手にて握ると共に揺動レバー２を押すことにより上記揺動レバー２が揺動して、接触部29が点火ボタン99を、倍力しつつ押圧するように構成したものである。【選択図】図１
2014037930.tif 000002
【特許請求の範囲】
【請求項１】
幅狭手前面（91）と幅狭背面（92）と幅広左右側面（93）（93）と底面（94）とを有する縦長状のライター本体（９）に取着可能なライター点火補助具であって、
上記ライター本体（９）の上記幅狭背面（92）と上記幅広左右側面（93）（93）の一部と上記底面（94）に包囲するように外嵌される縦長状ケース部材（１）と、上記ライター本体（９）の上記幅狭背面（92）寄りの上記ケース部材（１）の上部（１ａ）に於て揺動自在に枢支された揺動レバー（２）とを、備え、
上記揺動レバー（２）には、上記ライター本体（９）の上部（９ａ）の上記幅狭手前面（91）寄りに設けられた点火ボタン（99）を押圧する接触部（29）を設け、
上記ケース部材（１）を片手にて握ると共に上記揺動レバー（２）を押すことにより上記揺動レバー（２）が揺動して、上記接触部（29）が上記点火ボタン（99）を、倍力しつつ押圧するように構成したことを特徴とするライター点火補助具。
【請求項２】
幅狭手前面（91）と幅狭背面（92）と幅広左右側面（93）（93）と底面（94）とを有する縦長状のライター本体（９）に取着可能なライター点火補助具であって、
上記ライター本体（９）の上記幅狭背面（92）と上記幅広左右側面（93）（93）の一部と上記底面（94）に包囲するように外嵌される縦長状ケース部材（１）と、上記ライター本体（９）の上記幅狭背面（92）寄りの上記ケース部材（１）の上部（１ａ）に於て前後揺動自在に枢支された横断面コの字状の揺動レバー（２）とを、備え、
上記揺動レバー（２）の上部（２ａ）には、上記ライター本体（９）の上部（９ａ）の上記幅狭手前面（91）寄りに設けられた点火ボタン（99）を押圧する接触部（29）を設け、
上記ケース部材（１）を片手にて握ると共に上記揺動レバー（２）を押すようにして、上記揺動レバー（２）と上記ケース部材（１）を片手にて握って引き寄せることにより上記揺動レバー（２）が揺動して、上記接触部（29）が上記点火ボタン（99）を、倍力しつつ押圧するように構成したことを特徴とするライター点火補助具。
【請求項３】
上記ケース部材（１）に着脱自在な風防部材（３）を備えている請求項１又は２記載のライター点火補助具。
【請求項４】
上記揺動レバー（２）が揺動しても上記接触部（29）が上記点火ボタン（99）を押圧しないようにする安全機構（７）を具備する請求項１，２又は３記載のライター点火補助具。
【請求項５】
上記安全機構（７）は、上記揺動レバー（２）に設けられた左右一対の枢支軸部（27）と、上記揺動レバー（２）の上記枢支軸部（27）が差し込まれると共に上記ライター本体（９）の上記幅狭背面（92）寄りから上記幅狭手前面（91）側へ向かって上記ケース部材（１）の上部（１ａ）の上記幅広左右側面（93）（93）に形成されるガイド孔部（77）と、から成る請求項４記載のライター点火補助具。
【発明の詳細な説明】
【技術分野】
【０００１】
本発明は、ライター点火補助具に関する。
【背景技術】
【０００２】
喫煙や線香、蝋燭や焚き火用等のライター（着火具）は、子供等が興味本意に触っても容易に点火しないように構成されたもの、いわゆる、チャイルドレジスタンス規制に対応したものがある（例えば、特許文献１参照）。
このようなチャイルドレジスタンス機構（機能）付きのライターには、点火ボタンを、弾発付勢部材によって、子供が指で簡単に押し下げられないように固く（重く）して、容易に点火できないようにしたものがある。
【先行技術文献】
【特許文献】
【０００３】
【特許文献１】特開２０１１−２４７４７０号公報
【発明の概要】
【発明が解決しようとする課題】
【０００４】
しかし、指で押し下げる力の弱い高齢者等の身体弱者は、線香や蝋燭等へ着火を行なう際に、容易にライターを点火できないといった問題があった。
そこで、本発明は、点火ボタンを指で押し下げることが困難な身体弱者であっても、容易にライターを点火させることが可能なライター点火補助具の提供を目的とする。
【課題を解決するための手段】
【０００５】
上記目的を達成するために、本発明のライター点火補助具は、幅狭手前面と幅狭背面と幅広左右側面と底面とを有する縦長状のライター本体に取着可能なライター点火補助具であって、上記ライター本体の上記幅狭背面と上記幅広左右側面の一部と上記底面に包囲するように外嵌される縦長状ケース部材と、上記ライター本体の上記幅狭背面寄りの上記ケース部材の上部に於て揺動自在に枢支された揺動レバーとを、備え、上記揺動レバーには、上記ライター本体の上部の上記幅狭手前面寄りに設けられた点火ボタンを押圧する接触部を設け、上記ケース部材を片手にて握ると共に上記揺動レバーを押すことにより上記揺動レバーが揺動して、上記接触部が上記点火ボタンを、倍力しつつ押圧するように構成したものである。
【０００６】
また、幅狭手前面と幅狭背面と幅広左右側面と底面とを有する縦長状のライター本体に取着可能なライター点火補助具であって、ライター本体の上記幅狭背面と上記幅広左右側面の一部と上記底面に包囲するように外嵌される縦長状ケース部材と、上記ライター本体の上記幅狭背面寄りの上記ケース部材の上部に於て前後揺動自在に枢支された横断面コの字状の揺動レバーとを、備え、上記揺動レバーの上部には、上記ライター本体の上部の上記幅狭手前面寄りに設けられた点火ボタンを押圧する接触部を設け、上記ケース部材を片手にて握ると共に上記揺動レバーを押すようにして、上記揺動レバーと上記ケース部材を片手にて握って引き寄せることにより上記揺動レバーが揺動して、上記接触部が上記点火ボタンを、倍力しつつ押圧するように構成したものである。
また、上記ケース部材に着脱自在な風防部材を備えているものである。
【０００７】
また、上記揺動レバーが揺動しても上記接触部が上記点火ボタンを押圧しないようにする安全機構を具備するものである。
また、上記安全機構は、上記揺動レバーに設けられた左右一対の枢支軸部と、上記揺動レバーの上記枢支軸部が差し込まれると共に上記ライター本体の上記幅狭背面寄りから上記幅狭手前面側へ向かって上記ケース部材の上部の上記幅広左右側面に形成されるガイド孔部と、から成るものである。
【発明の効果】
【０００８】
本発明によれば、ライターの点火ボタンを指で直接的に押す力よりも、大きな力をもって、点火ボタンを操作できる。テコの原理を利用して、容易に点火できる。ケース部材からのライターの離脱や落下を防止できる。
【図面の簡単な説明】
【０００９】
【図１】本発明の実施の一形態を示し、点火準備状態の側面図である。
【図２】本発明の実施の一形態を示し、点火状態の断面側面図である。
【図３】図２のＡ−Ａ断面図である。
【図４】ライターの装着方法を説明するための要部断面側面図である。
【図５】風防部材取着状態の要部断面側面図である。
【図６】風防部材取着状態の要部断面背面図である。
【図７】他の実施形態を示す点火準備状態の側面図である。
【図８】別の実施形態を示す点火準備状態の側面図である。
【図９】安全機構を説明するための側面図である。
【図１０】安全機構を説明するための側面図である。
【発明を実施するための形態】
【００１０】
以下、図示の実施形態に基づき本発明を詳説する。
本発明に係るライター点火補助具は、図１乃至図３に示すように、点火ボタン99を有するライター本体９に取着可能なものであって、ライター本体９に外嵌される樹脂製のケース部材１と、ケース部材１に内嵌状に枢支される樹脂製の揺動レバー２と、を備えている。
【００１１】
ライター本体９は、縦細状の薄い直方体型に形成され、幅狭手前面91と、幅狭背面92と、幅広左右側面93、93と、底面94と、を有している。また、ライター本体９の上部９ａの幅狭手前面91寄りに、点火ボタン99が設けられている。また、上部９ａの幅狭背面92寄りに、煙突型の着火用ノズル90が上方突出状に付設されて、点火口90ａがライター本体９の上方位置に延設されている。なお、ライター本体（着火具）９は、上部９ａの幅狭背面92寄りに点火口90ａが配設された（着火用ノズル90が付設されていない）ものでも良い。
【００１２】
また、ライター本体（ガスライター本体）９は、点火ボタン99が弾発付勢部材等によって、子供等が指で簡単に押し下げて点火できないように固く（重く）したものである。つまり、子供等が興味本意やイタズラ等で触っても、或いは、不用意に点火ボタン99に手や物が当たっても、容易に点火しないように構成された、チャイルドレジスタンス機構（ＣＲ機構）を有するものである。
【００１３】
ケース部材１は、ライター本体９への装着状態（取着状態）において、ライター本体９の幅狭背面92に包囲するように（対面状に）配設される背壁12と、ライター本体９の底面94に包囲するように（下方から支持するように）配設される底壁14と、を有し、さらに、ライター本体９の幅広左右側面93，93の一部（幅狭背面92側の縁部及びその近傍）に包囲するように（対面状に）配設される一対の左右側壁13，13と、を有し、上方開口状に形成されると共に、前方開口型の横断面コの字状に形成されている。
【００１４】
また、ケース部材１は、上部１ａの背面12ａ（背壁12）寄りに於て、左右側壁13，13に貫設された枢着用孔部17を有している。
また、ケース部材１の背壁12には、ライター本体９の幅狭背面92から突出する火力調整用の操作凸部98を露出させるための逃がし窓部18が貫設されている。
また、ケース部材１の背壁12は、手で把持される下部から中間部を横断面円弧状（三日月型）に設けて握力を付与しやすい（握り易い）形状としている。
【００１５】
揺動レバー２は、ライター本体９の幅狭背面92寄りのケース部材１の上部１ａに於て、つまり、ケース部材１の上部１ａの背面12ａ寄りに於て、前後揺動自在に枢支され、後方開口型の横断面コの字状に形成されている。また、側面視で倒立Ｌ字状に形成されている。
【００１６】
揺動レバー２は、図２及び図３に示すライター点火状態の姿勢に於て、ライター本体９の幅狭手前面91に包囲するように（対面状に）配設される手前壁21と、ライター本体９の幅広左右側面93，93の一部（幅狭手前面91側の縁部及びその近傍）及び上部９ａに包囲するように（対面状に）配設される倒立Ｌ字状の左右側壁23，23と、揺動レバー２の上部２ａの手前壁21寄りに配設され点火ボタン99を押圧する接触部29と、を有し、下方開口状に形成されている。
【００１７】
揺動レバー２は、上部２ａに於て、ケース部材１の背面12ａ寄りに、左右側壁23，23から左右外方に突出する短円柱状の枢支軸部27を有し、その枢支軸部27がケース部材１の枢着用孔部17に差し込まれて枢着されている。
また、揺動レバー２は、上部２ａに於て、手前壁21側に、点火状態で、接触部29が点火ボタン99を適切に押圧していることを確認可能な確認開口部28を有している。
また、揺動レバー２は、上部２ａに於て、ケース部材１の背面12ａ寄りに、着火用ノズル90が挿通する（着火用ノズル90が無い場合は、点火口90ａの上方を開放するための）上方開口状かつ後方開口状の逃がし開口部26を設けている。
また、揺動レバー２の手前壁21は、握力を付与しやすい（握り易い）横断面円弧状（三日月型）に形成されている。
【００１８】
図１に示すライター点火準備状態（非閉操作状態）に於て、揺動レバー２は、接触部29が点火ボタン99の上面に当接し（揺動レバー２の自重で点火ボタン99は下がらない）、側面視で、ケース部材１の背面12ａ（ライター本体９の背面92）の長手方向縁部と、揺動レバー２の手前壁21の手前面21ａの長手方向縁部と、の間に所定の開き角度θａ（θｂ）をもって、手前壁21が傾斜状に配設される。
【００１９】
図２及び図３に示すライター点火状態（閉操作状態）に於て、側面視で、ケース部材１の背面12ａ及びライター本体９の背面92と、揺動レバー２の手前面21ａとが、（開き角度θａが５度未満の）平行状に配設される。
【００２０】
揺動レバー２の接触部29は、揺動レバー２の上部２ａにて左右側壁23，23を連結する上壁部29ａと、上壁部29ａから下方突出状の小凸部29ｂと、を有している。
小凸部29ｂは、側断面視で下方先細型三角形状（逆三角形状）に形成され、揺動レバー２の揺動に伴って、点火ボタン99の上面を前後方向にスムーズに摺接しつつ押圧可能な形状としている。
【００２１】
また、ケース部材１は、図２及び図３に示すように、左右側壁13，13は、左右内面13ａ，13ａから左右内方へ突出する一対の挟持用突片部（リブ）16，16を有している。左右一対の挟持用突片部16，16は、図２に示すように、ケース部材１の上下方向に（長手方向に）２箇所設けられている。
左右一対の挟持用突片部16，16夫々が、ライター本体９の幅広左右側面93，93に当接して挟持力を発揮し、ライター本体９を保持する構造としている。また、挟持用突片部16，16で挟持することで、ケース部材１の左右内面13ａ，13ａと、ライター本体９の幅広左右側面93，93と、の間に間隙を形成し、その隙間に、揺動レバー２の左右側壁23，23の一部が点火状態で差込（収納）可能としている。
また、揺動レバー２を倒立Ｌ字状にすることで、挟持用突片部16を前後方向に長く形成して、ライター本体９が不用意にケース部材１から離脱せず、かつ、容易に引抜き可能な挟持力を発揮可能としている。
【００２２】
また、図４に示すように、ケース部材１にライター本体９を装着させる方法は、揺動レバー２を揺動して、ケース部材１の下部と揺動レバー２の下部の間を開いて、その間から、ライター本体９を斜め下方から斜め上方へ向かって差し込むように挿入し、ケース部材１の上部１ａ及び揺動レバー２の上部２ａ（の逃がし開口部26）から、着火用ノズル90を突出させつつ、ライター本体９の各面がケース部材１の各壁部に対面状になるように、ライター本体９の下部を振って（尻振りして）、図４に於て図示省略の挟持用突片部16，16で挟持させて装着する。
言い換えると、揺動レバー２を揺動して、ケース部材１の下部と揺動レバー２の下部を開いて、ライター本体９の上方から被せ、ケース部材１の上部１ａ及び揺動レバー２の上部２ａから、着火用ノズル90を突出させつつ、ケース部材１の各壁部がライター本体９の各面に対面状になるように、ケース部材１の下部を振って（尻振りして）、図４に於て図示省略の挟持用突片部16，16で挟持させて装着する。
【００２３】
また、図５及び図６に示すように、ケース部材１の上部１ａに着脱自在（係脱自在）な風防部材３を備えている。
風防部材３は、ケース部材１の上部１ａに外嵌状に取着される前方開口型の横断面コの字状の取付壁部30と、ケース部材１の上方位置において火が風等で消えるのを防止する風防部39と、を有している。風防部39は、着火用ノズル90を包囲する包囲壁部を有する上方拡大開口形状である。
【００２４】
風防部材３は、取付壁部30に、左右一対の係合用孔部35，35を有している。左右一対の係合用孔部35，35は、ケース部材１の上部１ａの左右側壁13，13から左右外方に突出した一対の係合用凸部15，15に対応する。
取付壁部30を、ケース部材１の上部１ａに被せて、係合用凸部15及び取付壁部30を弾性変形させつつ摺接させ、（係合用凸部15が取付壁部30によって圧縮され、係合用凸部15が取付壁部30を押圧して拡口し、）係合用凸部15が係合用孔部35に差し込まれて取着される。
また、風防部材３とケース部材１に引抜き力を付与することで、係合用凸部15と取付壁部30が弾性変形して、取り外し可能に設けている。係合用凸部15は、係合用孔部35に対して係脱が容易な正面視（背面視）半球凸状に形成されている。
【００２５】
次に、本発明のライター点火補助具の使用方法（作動）について説明する。
図１に示すように、ライター本体９に装着した点火準備状態（点火可能状態）において、ケース部材１の背壁12に対して揺動レバー２の手前壁21は、開き角度θａ（θｂ）をもって傾斜状に配設された開状態となる。
【００２６】
ケース部材１及び揺動レバー２は、身体弱者等の使用者に片手で握られる。ケース部材１を片手にて握ると共に揺動レバー２の手前面21ａを指や手の平で押すようにして、揺動レバー２とケース部材１を片手にて、相互に接近するように引き寄せる（揺動レバー２を閉操作する）。つまり、ケース部材１の背壁12（背面12ａ）と、揺動レバー２の手前壁21（手前面21ａ）と、が握力受け部（面）となる。そして、揺動レバー２が閉じるように揺動するにつれて、揺動レバー２の手前壁21を力点とし、枢支軸部27を支点とし、接触部29を作用点とするテコの原理によって、小凸部29ｂが倍力しつつ点火ボタン99を押圧し、図２に示すように、ライター本体９を点火させる。なお、図２及び図３に於て、使用者の手（片手）は図示省略している。
【００２７】
つまり、側面視で、揺動レバー２の枢着軸心点（支点）Ｌから、小凸部29ｂが点火ボタン99に当接する接触点（作用点）Ｑまでの距離よりも、枢着軸心点Ｌから揺動レバー２の手前面（握力受け面）21ａの中央点（力点）までの距離を長く設けて、テコの原理により、小凸部29ｂが握力よりも大きな力をもって点火ボタン99を押圧するように構成している。
【００２８】
従来、ライター本体９を把持して親指等で点火ボタン99を押し下げるのは、高齢者等の身体弱者は、指の筋力が弱く非常に困難であった。また、線香への着火の際に、点火ボタン99を押したまま保持することは困難であった。そこで、指の筋力による押し下げ力よりも強い力が発揮される握力を利用し、さらに、テコの原理を利用することで、点火ボタン99を容易に押し下げて点火が行なえるようにしている。また、指で点火ボタン99を押圧保持する場合に比べて、手を握った状態を保持する方が楽で疲れにくく、線香等への着火作業が容易に行なえるようにしている。また、閉操作が行なわれる際に、前方開口型の横断面コの字状のケース部材１と、後方開口型の横断面コの字状の揺動レバー２と、でライター本体９を包囲して（挟んで）、ケース部材１からライター本体９が離脱や落下するのを防止している。
【００２９】
また、図２に示す点火状態（レバー閉状態）から、消火する場合は、ケース部材１と揺動レバー２の把持（握力）を弱めれば、点火ボタン99の戻りの（上方への）弾発付勢力によって、小凸部29ｂが押し上げられて、揺動レバー２が開くように揺動し、図１に示す非点火状態（レバー開状態）に戻る。揺動レバー２の開閉操作で点火と消火が行なえる。
つまり、点火ボタン99用の戻し用弾発部材を利用し、ケース部材１と揺動レバー２の間に、レバー戻し用弾発部材を設けず、部品点数を少なくし、小型かつ軽量に構成している。また、ケース部材１でライター本体９を挟持して取着しているので、取り外しが容易で、線香等への着火作業後に、ケース部材１からライター本体９を取り外して収納でき、子供のイタズラ等を未然に防ぐことができる。
【００３０】
次に、図７に他の実施形態を示す。
ライター本体９に外嵌される縦長状ケース部材１と、ライター本体９の幅狭背面92寄りのケース部材１の上部１ａに於て上下揺動自在に枢着された揺動レバー２とを、備えている。
揺動レバー２は、側面視で一文字状に形成されると共に横断面コの字状に形成され、点火ボタン99の上方位置に配設される接触部29を有している。そして、接触部29は、親指等の指から力を受ける押圧受け壁部29ｄ（上壁部29ａ）と、押圧受け壁部29ｄから下方突出状の小凸部29ｂと、を有している。
そして、ケース部材１を片手にて握ると共に揺動レバー２の押圧受け壁部29ｄ（接触部29）の上面を指で押すことにより揺動レバー２が揺動して、小凸部29ｂが点火ボタン99を、倍力しつつ押圧するように構成している。なお、他の構成は図１乃至図６を用いて説明した実施形態と同様の構成である。
【００３１】
次に図８乃至図10に別の実施形態を示す。
揺動レバー２が揺動しても（閉操作が行なわれても）、接触部29が点火ボタン99を押圧しないようにする安全機構７を設けている。
安全機構７は、揺動レバー２の左右側壁23，23に突設された左右一対の枢支軸部27と、揺動レバー２の枢支軸部27が差し込まれると共にライター本体９の幅狭背面92寄りから幅狭手前面91側へ向かってケース部材１の上部１ａの左右側壁13，13に貫設されるガイド孔部77と、から成る。
【００３２】
図８及び図９に示すように、ガイド孔部77は、揺動レバー２の枢支（着）位置を、ライター本体９の幅狭背面92寄りから幅狭手前面91側（点火ボタン99近傍）へ、スライド移動させ揺動レバー２の接触部29を、点火ボタン99の上方位置から、点火ボタン99よりも手前側へ移動させる（逃がす）と共に、揺動レバー２の逃がし開口部26を、点火ボタン99の上方位置に移動させて（対応させて）、安全揺動可能状態にするためのものである。
図９の安全揺動可能状態から、揺動レバー２を揺動させると、図10に示すように、逃がし開口部26内に点火ボタン99が配設され、接触部29は点火ボタン99を押圧せず、（揺動レバー２が閉操作されたにも関わらず、）点火しない、安全揺動状態となる。揺動レバー閉状態で収納が可能となり、カバンやポケット等への収納や保管に最適な姿勢となる。
【００３３】
つまり、安全機構７は、揺動レバー２の枢支位置を、幅狭背面92寄りと、点火ボタン99寄り（近傍）とに、配置替え（切り換え）操作することで、揺動レバー２の接触部29を、点火ボタン99の上方位置と、点火ボタン99よりも手前側の上方位置と、に配置替えできると共に、逃がし開口部26を、着火用ノズル90に対応する位置と、点火ボタン99に対応する位置とに配置替えでき、点火準備状態と安全揺動可能状態とに切換可能にする機構である。
【００３４】
ガイド孔部（溝部）77は、図８の点火準備状態（点火可能状態）で枢支軸部27が配設される半円状の一端縁部77ａと、枢支軸部27の配置換え操作の際に、一端縁部77ａから手前面側の下方へ移動させるための第１（下り）傾斜状ガイド部77ｂと、第１傾斜状ガイド部77ｂから幅狭手前面91側へ水平状移動させるための第１直線状ガイド部77ｃと、第１直線状ガイド部77ｃから一端縁部77ａよりも上位置に枢支軸部27をガイドするための第２（登り）傾斜状ガイド部77ｄと、一端縁部77ａよりも上位置で幅狭手前面91側へ水平状移動させるための第２直線状ガイド部77ｅと、一端縁部77ａよりも上位置に配設され図９の安全揺動可能状態で枢支軸部27が配設される半円状の他端縁部77ｆと、を有する細長状に形成されている。
【００３５】
上述のようにガイド孔部77を形成することで、図８の点火準備状態から、揺動レバー２を揺動させても、枢支軸部27が移動せず、適切に点火が行なわれる。また、図８の点火準備状態から図９の安全揺動可能状態に切り換える際に、枢支軸部27をスムーズにガイドすると共に、接触部29が点火ボタン99から斜め上方へ逃げるので、押圧して点火されるおそれがなく、安全に行なうことができる。
【００３６】
なお、揺動レバー２の左右側壁23，23の下部から左右外方に係止凸部78を設け、図10の安全揺動状態にて係止凸部78と係合する係止凹部79をケース部材１の左右側壁13，13の下部に切欠形成して、安全揺動状態に於て、係止凸部78が係止凹部79に係止されることで、不用意に揺動レバー２が開かないようにするロック機構を具備するのが好ましい。
なお、他の構成は図１乃至図６を用いて説明した実施形態と同様の構成である。また、図８乃至図10の実施形態は、図１乃至図６の実施形態の枢着用孔部17を上述のように細長状のガイド溝に形成したものとも言える。また、図７の実施形態に上述の安全機構７及びロック機構を設けても良い。
【００３７】
なお、本発明は、設計変更可能であって、ケース部材１の左右側壁13，13に枢支軸部27，27を設け、揺動レバー２の左右側壁23，23に枢着用孔部17を設けても良い。ケース部材１の左右側壁13，13に係合用孔部35を設け、風防部材３の取付壁部30に係合用凸部15を設けても良い。また、枢着用孔部17及び係合用孔部35は、止まり孔形状とするも良い。また、揺動レバー２の側面視形状は自由である。また、本発明を容易に説明するために、図２に示すように、ケース部材１に装着状態のライター本体９が点火状態の姿勢を基準として、矢印Ｙで示す側（方向）（ケース部材１に装着状態のライター本体９から燃焼ガスが吐出する方向）を「上」と呼び、矢印Ｘで示す側（方向）を「手前」又は「前」と呼んで、方向を説明している。したがって、方向を基に、使用状態の姿勢を限定するものではない。
【００３８】
以上のように、本発明のライター点火補助具は、幅狭手前面91と幅狭背面92と幅広左右側面93，93と底面94とを有する縦長状のライター本体９に取着可能なライター点火補助具であって、ライター本体９の幅狭背面92と幅広左右側面93，93の一部と底面94に包囲するように外嵌される縦長状ケース部材１と、ライター本体９の幅狭背面92寄りのケース部材１の上部１ａに於て揺動自在に枢支された揺動レバー２とを、備え、揺動レバー２には、ライター本体９の上部９ａの幅狭手前面91寄りに設けられた点火ボタン99を押圧する接触部29を設け、ケース部材１を片手にて握ると共に揺動レバー２を押すことにより揺動レバー２が揺動して、接触部29が点火ボタン99を、倍力しつつ押圧するように構成したので、ライター本体９の点火ボタン99を直接的に指で押す力よりも、大きな力をもって、点火ボタン99を操作できる。テコの原理を利用して、容易に点火させることができる。レバー閉操作（点火操作）中に、ケース部材１からのライター本体９の離脱や落下を防止できる。
【００３９】
また、幅狭手前面91と幅狭背面92と幅広左右側面93，93と底面94とを有する縦長状のライター本体９に取着可能なライター点火補助具であって、ライター本体９の幅狭背面92と幅広左右側面93，93の一部と底面94に包囲するように外嵌される縦長状ケース部材１と、ライター本体９の幅狭背面92寄りのケース部材１の上部１ａに於て前後揺動自在に枢支された横断面コの字状の揺動レバー２とを、備え、揺動レバー２の上部２ａには、ライター本体９の上部９ａの幅狭手前面91寄りに設けられた点火ボタン99を押圧する接触部29を設け、ケース部材１を片手にて握ると共に揺動レバー２を押すようにして、揺動レバー２とケース部材１を片手にて握って引き寄せることにより揺動レバー２が揺動して、接触部29が点火ボタン99を、倍力しつつ押圧するように構成したので、より握り易く、小さな操作力で操作できる。ライター本体９の点火ボタン99を指で押す力よりも、大きな力をもって、点火ボタン99を操作できる。点火ボタン99を直接的に指で押すよりも大きな力が出せる握力を利用し、さらに、テコの原理を利用して、容易に点火させることができる。ケース部材１と共に揺動レバー２を握ることで点火でき、レバー閉操作（点火操作）中に、ケース部材１からのライター本体９の離脱や落下を防止できる。
【００４０】
また、ケース部材１に着脱自在な風防部材３を備えているので、お墓参り等野外で使用する場合は、風によって火が消えることが防止できると共に、室内で周囲に物が多い仏壇等で使用する場合は、風防部材３を取り外すなど、臨機応変に様々な用途に容易かつ迅速に対応させて着火できる。また、ケース部材１と風防部材３を分離させてカバンや引き出し等に容易に収納できる。喫煙用と仏具用との両方のライター本体９に適用できる。
【００４１】
また、揺動レバー２が揺動しても接触部29が点火ボタン99を押圧しないようにする安全機構７を具備するので、カバンやポケットに安全に収納できる。子供等がイタズラ等で点火するのを防止できる。
【００４２】
また、安全機構７は、揺動レバー２に設けられた左右一対の枢支軸部27と、揺動レバー２の枢支軸部27が差し込まれると共にライター本体９の幅狭背面92寄りから幅狭手前面91側へ向かってケース部材１の上部１ａの幅広左右側面93，93に形成されるガイド孔部77と、から成るので、複雑な部材やバネ等が必要なく簡素な構成とでき、組立等の製造を容易かつ迅速に行なうことができる。安全機構７によりカバンやポケットに安全に収納できる。子供等がイタズラ等で点火するのを防止できる。
【符号の説明】
【００４３】
１  ケース部材
１ａ  上部
２  揺動レバー
２ａ  上部
３  風防部材
７  安全機構
９  ライター本体
９ａ  上部
27  枢支軸部
29  接触部
77  ガイド孔部
91  幅狭手前面
92  幅狭背面
93  幅広左右側面
94  底面
99  点火ボタン
【図１】
2014037930.tif 000003
【図２】
2014037930.tif 000004
【図３】
2014037930.tif 000005
【図４】
2014037930.tif 000006
【図５】
2014037930.tif 000007
【図６】
2014037930.tif 000008
【図７】
2014037930.tif 000009
【図８】
2014037930.tif 000010
【図９】
2014037930.tif 000011
【図１０】
2014037930.tif 000012